(57)【要約】【課題】強化ボードと外枠を分解できるように設計し、エアを抜くことで折り畳んで収納できる弾性体を組み合せて、狭い空間に折り畳んで収納できるとともに、移動の便利さを追求する充気弾性運動体を提供する。【解決手段】弾性体２０はほぼ半球状であり、弾性体２０上にバランスをサポートする支えとなる頂面２１を設ける。台座部は複数個を組み合せて円形の環状構造を形成するほぼ弧状の外枠３１を有し、外枠３１の内側凹部に沿って制限溝を形成する。外枠３１の両端は外周縁に向かって略延伸して壁際部３１２を有し、壁際部３１２には固定孔を形成する。固定部材３１４を二つの相対する固定孔に貫通させてナット部材３１５と合わせて二つの相対する壁際部３１２を固定する。これより、隣接する外枠３１は結合する。【選択図】　図３
0003097656.tif 000002
【実用新案登録請求の範囲】
【請求項１】
充気弾性運動体であって、
弾性体が含まれ、
その上に頂面が設置され、且つ該弾性体の外周縁の周りに一つの縁厚を有する固定縁が環形に形成されるとともに、弾性体内にエアを収容可能な収容部が形成され、
該収容部に合わせて弾性体の底部に気孔が開口しており、
台座が含まれ、それには、
（Ａ）複数個を組み合わせて一つの円形の環状構造を形成する外枠が含まれ、各外枠にはその内径の内側凹部に沿って一つの高度を有する制限溝が形成されるとともに、該外枠の両端には外周縁に向かって隣接する外枠と連結するための壁際部が略延伸しており、
（Ｂ）複数個を組み合わせて一つの円形の板状構造を形成する強化ボードが含まれ、各強化ボードの一側辺に上接合片が水平に突延し、もう一つの側辺にも上接合片と対応する下支持片が突延し、該上接合片と隣接する強化ボードの下支持片を上下に合わせて連結して複数の強化ボードを固定し、
該強化ボードの内側に内弧状部を設け、且つ強化ボードの外縁が一つの板厚を有し、該内弧状部は複数の強化ボードを連結させた後の中心部分に一つの小円形を形成し、該小円形と気孔とは相通じており、該連結後における複数の強化ボードの板厚に、該固定縁の縁厚を合わせたものが、連結された後における複数の外枠の制限溝の高度と同じになってそれらを包含していることを特徴とする充気弾性運動体。
【請求項２】
各外枠には更に複数の固定孔が備わり、それは複数の壁際部の対応箇所において横方向に貫通し、該固定孔により固定部材がナット部材とともに複数の外枠を固定し、
各強化ボードには少なくとも一つの上部孔と下部孔が備わり、それは上接合片と下支持片をそれぞれ貫通し、該上部孔および該下部孔共に縦固定部材を挿入し、ナット部材を配して該複数の強化ボードが連結され、
各強化ボードには少なくとも一つのラッパ孔が備わり、それは強化ボードに穿設され滑止め部材が固定されていることを特徴とする請求項１記載の充気弾性運動体。
【請求項３】
該弾性体に組み合せて設置される少なくとも一つの外付けロープ部が備わり、
それは少なくとも一つの連結部材を有し、該連結部材を横方向に貫通して壁際部と連結されるスルーホールが形成されており、
該外付けロープ部には連結部材の他端に形成されるベルト状の引張りベルトが設置され、該引張りベルトの末端には安定的に引っ張ることが可能なグリップがさらに設置されていることを特徴とする請求項１記載の充気弾性運動体。
【考案の詳細な説明】
【０００１】
【考案の属する技術分野】
本考案は、充気弾性運動体に関するものであり、特に弾性体を折り畳んで収納でき、付属部品を分解することができる充気弾性運動体を指し、その弾性体はエアを抜くことにより折り畳んで収納でき、また関連の付属部品、例えば強化ボードや外枠は分解できるように設計され、安定的にバランスをサポートし、狭い空間において収納が可能で、持ち運びに便利であり、現代人の運動における高度な要望を倍増させる、極めて人にやさしい考案である。
【０００２】
【従来の技術】
肢体運動、例えばバランス運動は、全身の筋肉を強化し、運動能力を高め、身体のラインを美化することができるが、「バランス」運動はその名の示すとおり、運動の過程において個人のバランス感覚の差異により、達成できる運動効果もこれに伴ってそれぞれ異なり、そこで市場で目にするバランス運動に合わせた構造は図１、２に示す通りで、主として下記構造を有している。
【０００３】
メイン・ボディ１０は、その表面に半球体の態様を形成し、最大直径の外周縁が上向きに反り曲がって環形フック部１１を形成し、内側底部の周縁がメイン・ボディ１０の内側底面に向かって内縮して環形嵌合部１２を形成し、および該メイン・ボディ１０の内側底部の軸心部にはエアが出入りする気孔１３が開口されている。
【０００４】
台座１４は、該メイン・ボディ１０の底部に敷設され、該台座１４はメイン・ボディ１０の気孔１３の近くで台座１４を上向きに支える環形サポート部１４１が上に向かってそそり立ち、および該台座１４の外周縁は環形嵌合部１２に嵌合する外突縁１４２が上向きに湾曲して伸び、更に該環形サポート部１４１中段外径から外に向かってサポート・エッジ１４３が延伸し、該サポート・エッジ１４３底部は任意の面に固立しており、該サポート・エッジ１４３上部は該環形フック部１１と環形嵌合部１２との間の底部に当接している。
【０００５】
環形固定部材１５は、該メイン・ボディ１０の外周縁に環形に設置されるとともに、上下に環形フック部１１とサポート・エッジ１４３を含み、このようにして少なくともバランス運動を提供できる補助具が構成されている。
【０００６】
周知の通り、一般人の身長（男女を問わず）は１６０センチメートルから１８０センチメートルの間であり、このため常用される最小直径は１メートル前後なければならず、こうして肢体を伸ばしてバランスをとることをサポートしているが、しかし直径が約１メートル前後の立体は、相当の空間を占めることは疑いない事実であり、収納が不便なこと以外に、一般的に異なる場所への持ち運びも極めて不便であり、常用性に欠けていた。
従って、持ち運びおよび収納に適した肢体バランス運動具を開発する必要があった。
【０００７】
【考案が解決しようとする課題】
本考案の主な目的は、強化ボードと外枠を分解できるように設計し、エアを抜くことで折り畳んで収納できる弾性体を組み合せて、狭い空間に折り畳んで収納できるとともに、移動の便利さを追求する充気弾性運動体を提供することである。
【０００８】
本考案の次なる目的は、弾性体上に頂面を設け、使用者がその上でバランス運動を行うことに供するとともに、バランスをサポートする安全感を向上させ、運動時間を延ばして、運動効果を倍増させる充気弾性運動体を提供することである。
【０００９】
本考案の更なる目的は、一つまたは複数の外付けロープ部を用いて、バランス運動のバリエーションおよび安全感を向上させる充気弾性運動体を提供することである。
【００１０】
【課題を解決するための手段】
本考案において従来品の欠点を解決するために採用した技術プランは以下の通りである。
充気弾性運動体には、
弾性体が含まれ、弾性体上に頂面を設け、且つ該弾性体外周縁が一つの縁厚を有する固定縁を環形に形成するとともに、弾性体内にエアを収容できる収容部を形成し、該収容部に組み合わせて弾性体底部に気孔を開口し、
台座が含まれ、それには、
（Ａ）複数個を組み合わせて一つの円形の環状構造を形成する外枠が含まれ、各外枠はその内径の内側凹部に沿って一つの高度を有する制限溝を形成するとともに、該外枠の両端には外周縁に向かって隣接する外枠と連結するための壁際部が略延伸しており、
（Ｂ）複数個を組み合わせて一つの円形の板状構造を形成する強化ボードが含まれ、各強化ボードの一側辺に上接合片が水平に突延し、もう一つの側辺にも上接合片と対応する下支持片が突延し、該上接合片と隣接する強化ボードの下支持片を上下に合わせて連結して複数の強化ボードを固定し、且つ該上接合片と下支持片は上下に移動できる態様になっており、
該強化ボードの内側に内弧状部を設け、且つ強化ボードの外縁が一つの板厚を有し、該内弧状部は複数の強化ボードを連結させた後の中心部分に一つの小円形を形成し、該小円形と気孔は相通じており、該連結後における複数の強化ボードの板厚に、該固定縁の縁厚を合わせたものが、連結された後における複数の外枠の制限溝の高度と同じになってそれらを包含する。
【００１１】
【考案の実施の形態】
図３、図４に示すとおり、本考案の実施例は充気弾性運動体であり、特に分解可能で折り畳んで収納できる充気弾性運動体を指し、それには弾性体２０が含まれている。
【００１２】
該弾性体２０はほぼ半球の立体態様を呈し、該弾性体２０上にバランスをサポートする支えとなる頂面２１を設け、且つ該弾性体２０の下に底面２２を設けて設置の安定性を高め、このほか、該弾性体２０の外周縁に沿って固定縁２３を形成し、該固定縁２３の縁厚はＡと定義され、また、弾性体２０内に収容部２４を形成し、該収容部２４に対して弾性体２０の底部中心に気孔２５を開口してエアを充填或いは抜き出し、この気孔２５は通常は封鎖状態にしている。
【００１３】
台座部３０には、複数個（本考案の好ましい実施例では３つ）を組み合せて円形の環状構造を形成する外枠３１（図５を合わせて参照）が含まれ、該外枠３１はほぼ弧状の態様を呈し、その内径の内側凹部に沿って制限溝３１１を形成し、且つ該制限溝３１１の高度はＨと定義されるとともに、外枠３１の両端は外周縁に向かって略延伸して壁際部３１２を形成し、相対する該壁際部３１２を水平に横方向に貫通させて少なくとも一つの固定部材３１４を貫通させるための固定孔３１３を形成し、該固定部材３１４はナット部材３１５と合わせて二つの相対する壁際部３１２を固定させ、隣接する外枠３１と結合させている。
【００１４】
複数個（本考案の好ましい実施例では３つ）の強化ボード３２（図６を合わせて参照）が含まれ、該強化ボード３２はほぼ弧状の扇形を呈し、その板厚はＢと定義され、該複数の強化ボード３２は組み合せて一つの円形板状構造を形成し、該強化ボード３２の一側辺には上接合片３２１が水平に突延し、強化ボード３２のもう一つの側辺にも上接合片３２１と対応する下支持片３２２が突延し、該上接合片３２１と下支持片３２２は上下に合わせて連結させて複数の強化ボード３２を固定でき、および該上接合片３２１と下支持片３２２は上下に移動できる態様であり、各常態連結の強化ボード３２間に間隔を置いて設計し、このような設計に、縦固定部材３４とナット部材３５を上接合片３２１の上部孔３２３と下支持片３２２の下部孔３２４にそれぞれ縦に貫通させて固定することを加え（図７を合わせて参照、本考案の好ましい実施例では３つである）、複数の強化ボード３２の連結状態を更に強固にしている。
【００１５】
このほか、該複数の強化ボード３２を並べて円形にするとき、任意の強化ボード３２の内側に予め成形した内弧状部３２５が円形の中心部分に対応して小円形３３を形成し、エアが小円形３３を通って気孔２５に入ることができるようにし、特に、該固定縁２３の縁厚Ａと強化ボード３２の外縁３２６の板厚Ｂが相互に重なって、およそ制限溝の高度Ｈとなり、全強化ボード３２の構造に安定性と強度を同時に兼備させ、および該強化ボード３２の面に少なくとも一つの上向きに拡張するラッパ孔３６が縦方向に貫かれ（図４および図６参照、本実施例の好ましい実施例では２つである）、滑止め部材４０が該ラッパ孔３６に嵌設されて強化ボード３２の滑り止め効果を向上させている。
【００１６】
このほか、図８に示すとおり、本実施例は実用上、該弾性体２０に組み合せて一つ（または複数）の外付けロープ部５０を設置し、それは少なくとも一つの連結部材５１を有し、該連結部材５１を横方向に貫いて固定部材３１４が通過するスルーホール５１１が形成され、および該外付けロープ部５０には連結部材５１の他端に形成されるベルト状の引張りベルト５２（例えば弾性ロープなど）が設置され、引張りベルト５２の末端には安定的に引っ張ることのできるグリップ５３が設置され、このようにして、平行運動のバリエーションと安全感を向上させている。
【００１７】
【考案の効果】
本考案の実用的な操作および従来品よりも優れている点は以下の通りである。
（１）持ち運びとフレキシブルな収納に便利である。本考案の弾性体は実用上、エア抜きと折り畳み収納ができるように設計されており、収納後は薄状の態様を呈することに加え、該外枠および強化ボードはいずれも分解できるように設計されており、このため本考案は実際に分解、折り畳み収納された後において、実用上バランス運動のサポートのために占められる空間とは比べものにならず、狭い空間に放置できるだけでなく、持ち運びにも便利である。
【００１８】
（２）快適且つ安全にバランスをサポートできる。本考案の実施時には、使用者は本考案の上に立ってバランス運動を行うが、該弾性体の頂面は平面状を呈しているため、バランスをサポートするとき、最初の瞬間に弾性体内部に向かって弾性緩衝が発生し、弾性体のこのような構造上の反応は、これを頼りとする個体に極めて高い安全感を与えることができ、任意の硬い表面に触れる恐れを排除し、安定的な且つ滑りにくい人にやさしいサポートを提供し、個体が頼りとする快適度を効果的に引き上げ、さらにその底面は外に広がる平底の設計であるので、各角度のバランスに安定的な垂直の重心が生じやすくなり、構造の安全性が倍増する。
【００１９】
（３）バランス運動のバリエーションおよび安全性を高めることができる。本考案は一つ（または複数）の外付けロープ部を設置でき、使用者がバランス運動を行う際により多くのバリエーションを提供できるとともに、バランスのサポートもできるので、その安全感を向上させることができる。
【００２０】
以上は好ましい実施例によって本考案を詳細に説明しただけであり、該実施例に対して行う如何なる簡単な変更と変化も本考案の主旨および範囲から逸脱しないものである。
【図面の簡単な説明】
【図１】従来の充気弾性運動体を示す立体図である。
【図２】従来の充気弾性運動体を示す横断面図である。
【図３】本考案の一実施例による充気弾性運動体を示す概略図である。
【図４】本考案の一実施例による充気弾性運動体を示す横断面図である。
【図５】本考案の一実施例による充気弾性運動体の部分構造を示す分解図である。
【図６】本考案の一実施例による充気弾性運動体の部分構造を示す分解上面図である。
【図７】本考案の一実施例による充気弾性運動体の部分構造を示す分解図である。
【図８】本考案の一実施例による充気弾性運動体の部分構造を示す概略図である。
【符号の説明】
１０　メイン・ボディ
１１　環形フック部
１２　環形嵌合部
１３　気孔
１４　台座
１５　環形固定部材
２０　弾性体
２１　頂面
２２　底面
２３　固定縁
２４　収容部
２５　気孔
３０　台座部
３１　外枠
３２　強化ボード
３３　小円形
３４　縦固定部材
３５　ナット部材
３６　ラッパ孔
４０　滑止め部材
５０　外付けロープ部
５１　連結部材
５２　引張りベルト
５３　グリップ
１４１　環形サポート部
１４２　外突縁
１４３　サポート・エッジ
３１１　制限溝
３１２　壁際部
３１３　固定孔
３１４　固定部材
３１５　ナット部材
３２１　上接合片
３２２　下支持片
３２３　上部孔
３２４　下部孔
３２５　内弧状部
３２６　外縁
５１１　スルー・ホール
Ａ　縁厚
Ｂ　板厚
Ｈ　高度
【図１】
0003097656.tif 000003
【図２】
0003097656.tif 000004
【図３】
0003097656.tif 000005
【図４】
0003097656.tif 000006
【図５】
0003097656.tif 000007
【図６】
0003097656.tif 000008
【図７】
0003097656.tif 000009
【図８】
0003097656.tif 000010